(57)【特許請求の範囲】
【請求項１】
背部を構成するフレーム（１）と、
前記背部フレーム（１）の下端近傍に接続されシートを形成する２つの平行な側方部材（２）と、
前記背部フレーム（１）に接続されるとともに互いに平行かつ前記シートの側方部材（２）に平行な２つの肘掛け（４）と、
Ｕ字を形成する２つの枝部分が前記側方部材（２）に接続され足置きを構成するＵ字形フレーム（３）と、
弾性手段により前記フレーム（１，３）および前記側方部材（２）に留められてこれらの部材間に張り渡される１枚の布と、
それぞれが前記側方部材（２）に接続された２本の平行な脚により構成される脚ユニットである前脚ユニット（３６）および後脚ユニット（３５）の２つの脚ユニットにより構成される基部と、
前記前脚ユニット（３６）および前記後脚ユニット（３５）を共に結合する股状継手（２３）とを具備してなり、
前記各肘掛け（４）は、前記側方部材（２）に平行なスライド式ロッド（５）を有し、
前記各前脚ユニット（３６）の端部は、前記スライド式ロッド（５）に沿ってスライド可能とされた股状継手（７）と椅子の位置をロックする手段（８）とを有し、
前記脚ユニットの脚どうしは、連結棒（３９）により共に接続され、この連結棒（３９）は、前記前脚ユニット（３６）と股状継手（１０）とに接続され、この股状継手（１０）は、前記側方部材（２）の後部に固定されるとともに各後脚ユニット（３５）をスライド可能とし、
前記足置きのフレーム（３）の前記枝部分の上端は、前記肘掛け（４）の端部に接続されていることを特徴とする安楽椅子。
【請求項２】
前記背部を構成するフレーム（１）は、閉じた曲線をなすことを特徴とする請求項１記載の安楽椅子。
【請求項３】
前記側方部材（２）および前記フレーム（１，３）は、管状の金属部材からなることを特徴とする請求項１または２記載の安楽椅子。
【請求項４】
前記脚ユニット（３５，３６）は、Ｕ字形をなし、そのＵ字形の枝部分どうしの結合部分には、シューが取り付けられていることを特徴とする請求項１ないし３のいずれかに記載の安楽椅子。
【請求項５】
前記スライド式の股状継手（７，１０）は、プラスチック、特にポリアセタールからなることを特徴とする請求項１ないし４のいずれかに記載の安楽椅子。
【請求項６】
前記椅子の位置をロックする部材（８）は、偏心したタイプのカムであることを特徴とする請求項１ないし５のいずれかに記載の安楽椅子。
【請求項７】
前記足置き（３）の前記枝部分と前記肘掛け（４）の端部との接続は、ヒンジ（２０）を介して結合され、
該ヒンジ（２０）は、前記肘掛けの前記スライド式ロッド（５）の正に端部（５５）が係合する第１のヒンジ（５０）と、前記足置き（３）の端部（５３）が係合する第２のヒンジ（５２）とを備え、
これら２つのヒンジは、これらを横切るピン（５１）により接続されていることを特徴とする請求項１ないし６のいずれかに記載の安楽椅子。
【発明の詳細な説明】
【０００１】
【産業上の利用分野】
本発明は、安楽椅子に係わり、さらに詳細には、背部と足置きとを備えるとともに運搬および整理を容易とするために押し広げによる組み立てと平たくなるまでの折り畳みが可能なタイプの安楽椅子に関するものである。
【０００２】
【従来の技術】
このタイプの椅子は、広く屋外で（庭やキャンピング等において）利用され、あるいは、臨時の椅子として使用されている。それについては詳細に述べる必要はないであろう。
【０００３】
通常これらの椅子は、１枚の布が張り渡される３つの部材、特に背部・シート・足置きに対して協同的に設けられる基部から構成される。接続機構により、背部を押し広げて傾斜状態にすると、同様に足置きも押し広げて傾斜状態とし、結果的に寝そべる状態にまで椅子が組み立てられたときには、足を休めて大きな快適感を得ることができる。（例えば、ＵＳ−Ａ−２，１９５，０９１を参照。）
【０００４】
【発明が解決しようとする課題】
しかしながら、上記のタイプの椅子においては、肘掛けは、基部に剛直に固定されており、背部と足置きとの間の動きの伝達は、時には肘置きとしても知られている肘掛けの下に位置するスライド式の管を介してなされる。結果として、肘掛けは、シートの傾斜動作にかかわらず据え付け式であり、使用者の腕はこの傾斜動作に追従しない。この欠点は、快適さを増加させるものでは一切なく、加えて、機械的な接続部分は、通常かさ高いものであるので、平たくなるまで折り畳む作業および再度押し広げて組み立てる作業は、困難なものであり、特に子供にとっては困難である。それは、多数の巧妙な取り扱いを必要とするからである。接続部分の近傍においては、危険をもたらす可能性があり、つまり指を挟んでしまうおそれがある。
【０００５】
本出願人が広く採用する１つの例では、基部の上端は、肘掛けの下に位置するスライド式の管に固定され、肘掛けの位置は、調整用ねじにより調整される。しかしながら、このタイプは、操作しにくい位置にロック用部材があるとともに、その位置は、使用者がシートを傾けるごとに変化するいう欠点を有している。さらに、ロック用部材を駆動することおよび椅子を押し広げて組み立てることは、１回のみの動作でなし得るものではない。
【０００６】
本発明は、上記欠点を緩和するものであり、その目的とするところは、押し広げによる組み立ておよび平坦までの折り畳みが子供にとってさえも容易であり、指を挟む心配がなく、かつ、位置決めのためのロックが容易であって、確実に快適感が得られる折り畳み式の安楽椅子を提供することにある。
【０００７】
【課題を解決するための手段】
概して、本発明は安楽椅子に関するものであり、以下のタイプのものである。すなわち、背部を構成するフレームと、前記背部フレームの下端近傍に接続されシートを形成する２つの平行な側方部材と、前記背部フレームに接続されるとともに互いに平行かつ前記シートの側方部材に平行な２つの肘掛けと、Ｕ字を形成する２つの枝部分が前記側方部材に接続され足置きを構成するＵ字形フレームと、弾性手段により前記フレームおよび前記側方部材に留められてこれらの部材間に張り渡される１枚の布と、それぞれが前記側方部材に接続された２本の平行な脚により構成される脚ユニットである前脚ユニットおよび後脚ユニットの２つの脚ユニットにより構成される基部と、前記前脚ユニットおよび前記後脚ユニットを共に結合する股状継手とを具備してなり、
前記各肘掛けは、前記側方部材に平行なスライド式ロッドを有し、前記各前脚ユニットの端部は、前記スライド式ロッドに沿ってスライド可能とされた股状継手と椅子の位置をロックする手段とを有し、前記脚ユニットの脚どうしは、連結棒により共に接続され、この連結棒は、前記前脚ユニットと股状継手とに接続され、この股状継手は、前記側方部材の後部に固定されるとともに各後脚ユニットをスライド可能とし、前記足置きのフレームの前記枝部分の上端は、前記肘掛けの端部に接続されていることを特徴としている。
【０００８】
言い換えれば、背部と足置きとの間の動きの伝達は、背部・足置き・シートの側方部材・肘掛けのスライド式ロッドで形成される四辺形の形を変形させることによりなされる。この動きの間において、基部全体、特にスライド式の股状継手および側方部材の後方に位置する股状継手の位置が不変であるので、肘掛けが背部につれて動き、それによって従来技術とは対照的に、肘掛けが傾斜動作に追従することとなる。
【０００９】
それゆえ、これらの特性の組み合わせは、新規かつ追い求められていたものであり、特に、背部および足置きの傾斜動作と連動する肘掛けを使用することで、快適さが高められている。
【００１０】
美的であって快適さをさらに高めた実施例においては、背部を構成するフレームは、閉じておりかつ人間工学的な曲線である。
【００１１】
さらに、実際には、側方部材およびフレームは、管状の金属部材により形成されている。脚ユニットは、上方を向くＵ字形とされＵ字形の枝部分どうしを結合する結合部分である基底部分にはシュー（ｓｈｏｅｓ）  が取り付けられている。言い換えれば、Ｕ字形の枝部分に位置する椅子の２つの前脚および２つの後脚どうしは、基底部分により結合されており、それによって安定性が高められている。特有のスライド式の股状継手は、プラスチック、特に、ポリアセタール（ｐｏｌｙａｃｅｔａｌ）あるいはポリアミド（ｐｏｌｙａｍｉｄｅ）  により形成されている。椅子の位置をロックする部材は、偏心したタイプのカムである。
【００１２】
実際的な実施例においては、足置きの枝部分は、肘掛けの端部に対してヒンジ結合されており、そのヒンジは、肘掛けのスライド式ロッドの正に端部が係合する第１のヒンジと、足置きの端部が係合する第２のヒンジとを備え、これら２つのヒンジ部は、これらを横切るピンにより接続されている。
【００１３】
【実施例】
本発明を実施する方法、および、そこから派生する利点は、添付された図面により裏付けられる以下の実施例によりさらに明瞭となるであろう。
【００１４】
図１は、本発明の安楽椅子を示すもので、組み立てられた状態における側面図である。
図２は、本発明の安楽椅子を示すもので、平たく折り畳まれた状態を示している。
図３は、肘掛けの部分におけるスライド式部材の詳細図である。
図４は、足置きと肘掛けとの間の接続を示す詳細図である。
【００１５】
本発明に係る安楽椅子は、図１に組み立て状態を示すように、個別の役割をもった２つの集合体に分けることができる。すなわち、１つは、符号２３で示す位置において架台状（ｔｒｅｓｔｌｅ−ｆａｓｈｉｏｎ）  に接続された２つの脚ユニットの組（３５，３６）により構成される基台であり、他の１つは、座る人を迎え入れるように構成されたものであって背部１、シート２、足置き３、２つの肘掛け４により構成される集合体である。
【００１６】
前記背部１は、閉じたフレームであり、一般に矩形状であり、そして、背骨の曲がりにならうようわずかに曲げられている。
【００１７】
シートの側方部材２は、それぞれが管状の金属部材によって形成され、その後部が背部１の鉛直方向の符号２２で示す位置において揺動可能に取り付けられている。この場合の接続は、背部１の下端近傍において、Ｕ字形の通常の股状継手２２によりなされている。この股状継手２２は、Ｕ字形の基底部分が側方部材２を収容して溶接されており、かつＵ字形の枝部分が背部１の側部を貫通するピンを支持している。これら側方部材２は、わずかに後方側に傾斜している。
【００１８】
前記２つの肘掛け４は、一端が背部１に、他端が足置き３に、それぞれ符号２４および２０で示す位置において接続されている。これら肘掛けは、基本的には側方部材２に平行である。各肘掛け４の下方には、スライド式ロッド５が備えられ、このスライド式ロッド５は、基部の前脚ユニット３６の上端に固定された股状継手７内でスライド移動するように構成されている。
【００１９】
前記足置きは、Ｕ字形であるとともに、シートの側方部材２および肘掛け４に接続されたフレームにより構成されている。肘掛け４との接続（図４参照）は、ヒンジ２０によりなされ、このヒンジ２０は、肘掛け４の端部と足置き３のフレームの端部とを接続するものである。足置き３と側方部材２との結合は、通常の股状継手２１によりなされている。股状継手２１は、肘掛け４と側方部材２とが平行を維持する高さに位置している。
【００２０】
前記背部１、前記シートの側方部材２および股状継手２１の下方に位置した足置き３により形成された面に１枚の布が張り渡されている。周知のように、この布は、この布に設けられた小穴と前記各部材に溶接された金属環とに交互に挿通される弾性をもった紐により前記各部材に取り付けられている。
【００２１】
前記基部は、２組のＵ字形の脚ユニット３５、３６により構成されている。後脚ユニット３５の２つの端部には、股状継手２３が溶接により取り付けられており、この股状継手２３には、前脚ユニット３６の上部が接続されている。
さらに、前脚ユニット３６の中央少し上方には、連結棒３９（ｌｉｎｋ）があり、この連結棒３９は、ピン２５により接続されて垂直面内で回動するように構成されている。この連結棒３９の他端は、股状継手１０に接続されている。
通常の方法により、脚ユニット３５、３６のＵ字形状の枝部分どうしを連結する水平連結部には、滑り止めのシュー３０、３１が取り付けられている。
【００２２】
基部とシートとは、２点で結合されている。すなわち、１つは股状継手１０であり、他の１つはスライド式の股状継手７である。股状継手１０は、シートの側方部材２に取り付けられて、後脚ユニット３５がこの側方部材２に関してスライドできるようになっている。スライド式の股状継手７は、基部の前脚ユニット３６の上端に取り付けられ、肘掛けのロッド５が基部に対してスライドできるようになっている。
【００２３】
前記肘掛け４は、図４に詳細に示すように、ヒンジ２０により足置き３に接続されている。スライド式ロッド５は、肘掛け４の前方端部内に収容されている。この円柱状の端部５０は、椅子の対称面に関して垂直なピン５１を有し、この端部５０の椅子の内方側には、足置き３の上端５３を収容しかつ前記端部５０と同径である他の円柱５２が接続されている。これら同軸に設けられた２つの回転式円柱の回動運動は、摩擦ワッシャ５４（ａ  ｆｌｉｃｔｉｏｎ  ｗａｓｈｅｒ）  を介して行われている。ただし、このワッシャ５４を設けなくとも構わない。
【００２４】
椅子を傾ける際の傾斜角度は、スライド式ロッド５と股状継手７とをロックすることにより維持される。ロック機構自体は、偏心部材８によりなされる。この偏心部材８は、スライド式の股状継手７に取り付けられて、股状継手７のスライド方向に平行な軸に対して回転することができる。この偏心部材８は、スライド式ロッド５の径と同様の径の穴を有し、その穴の中心は、回転軸に対してわずかにずらされている。
【００２５】
椅子の使用者を収容するための領域は、この領域を構成する部材の様々な接続関係を可能とするような四辺形、すなわち変形し得る四辺形を含んでいる。この四辺形の４隅は、
−背部１と肘掛け４との接続箇所２４と、
−肘掛け４と足置き３との接続を行うヒンジ２０と、
−足置き３とシートの側方部材２との接続を行う股状継手２１と、
−背部１とシートの側方部材２との接続を行う股状継手２２と
である。
【００２６】
このように背部が後方に傾斜されたときには、接続箇所２４は、股状継手２２よりも後方に位置することになる。この際の動きによりスライド式ロッド５は、後方側に引かれるが、一方、側方部材２は、基部に固定されており静止状態にある。このようにして前記ヒンジ２０が股状継手２１に対して後方側に移動し、足置き３は、水平状態に近づく向きに回転を受けた位置に落ちつくことになる。
背部が前方側に傾斜されたとき、すなわち折り畳む際の四辺形の変形は、上記と逆になる。
【００２７】
言い換えれば、椅子が前方側あるいは後方側に傾斜されたときに、基部が動くことはなく、したがってシートの側方部材２も動かない。２つの股状継手２１、２２は、それゆえ、定位置に位置することとなる。よって背部と足置きとは、２つの股状継手２１、２２を中心として回転し、肘掛けのロッド５は、前方側あるいは後方側に移動する。
【００２８】
スライド動作が行われるとき、すなわち使用者が椅子の傾斜角度を変えたいときには、偏心部材８をその穴の中心がスライド式ロッドの中心と一致するように回転させる。逆に、使用者が椅子の傾斜角度をロックして選んだ位置にて固定したいときには、使用者は、偏心部材８をその穴の中心がスライド式ロッド５の中心と一致しないように回転させればよい。このとき、偏心部材８の穴の内面は、スライド式ロッド５に接触するようになり、摩擦が生じる結果として、スライドが阻止されロックされる。
【００２９】
椅子を平たく折り畳みたいときには、ロッド５が股状継手７の内側を自由にスライドできる状態とされる。連結棒３９は、回転ピン２５により前脚ユニット３６に接続されているので、基部の２つの脚ユニット３５、３６は、一緒に折り畳まれ、股状継手１０は、後脚ユニット３５の下方に向けて押下げられる。この股状継手１０は、シートの側方部材２に回転可能に固定されているので、側方部材２は、股状継手１０の下方への動きにつれて引っ張られる。同時に、股状継手７は、ロッド５の前方に向けて押される。一旦、この股状継手７がヒンジ２０に接した後は、折り畳み動作は、股状継手２２とヒンジ２０とが互いに離れる向きに移動するという上述の四辺形の変形により続けられる。最後には、この四辺形は、背部１が前方側に傾き足置き３が後方側に傾き、完全につぶされる。結果は図２に示すようなものであり、椅子は完全に平たく折り畳まれている。
椅子は、上述の操作を可逆的に行うことで再度組み立てられる。
【００３０】
【発明の効果】
本発明の１つの利点は、肘掛けが背部に設けられている点にある。これにより、この椅子に座る人は、シートの傾斜にかかわらず、肘掛けによる支持を利用することができる。さらに、ロック用部材８は、肘掛け４で覆われてその下方に位置しているので、接近した位置関係にあり操作することが容易である。
【００３１】
上記実施例の記載から、本発明がいくつもの注目すべき利点を有していることがわかる。特に、
−１つには、椅子を容易にかつ快適なように傾斜することができることである。肘掛けは、椅子の位置にかかわらず、いつも使用者の肘の下方に位置する。さらに、椅子のある位置でのロックは、椅子の傾きにかかわらず使用者の手近に位置するたった１つの部材８を操作することにより簡単にかつ効果的な動きでもってなされる。
−もう１つには、椅子を平たく折り畳むに要求される操作および再度組み立てるに要求される操作が疑う余地がないほどに容易になされ得ることである。これは、スライドする部材の相互作用の結果として、椅子を折り畳む際にあるいは押し広げて組み立てる際にたった１つの動きが要求されるだけであることによる。
【図面の簡単な説明】
【図１】本発明の安楽椅子を示すもので、組み立てられた状態における側面図である。
【図２】本発明の安楽椅子を示すもので、平たく折り畳まれた状態を示している。
【図３】肘掛けの部分におけるスライド式部材の詳細図である。
【図４】足置きと肘掛けとの間の接続を示す詳細図である。
【符号の説明】
１  背部フレーム
２  側方部材（シートの側方部材）
３  Ｕ字形フレーム（足置き）
４  肘掛け
５  スライド式ロッド
７  股状継手
８  ロックする手段
１０  股状継手
２０  ヒンジ
２３  股状継手
３５  後脚ユニット
３６  前脚ユニット
３９  連結棒
５０  第１のヒンジ
５１  ピン
５２  第２のヒンジ
５３  端部
５５  端部
【図１】
0003625527.tif 000002
【図２】
0003625527.tif 000003
【図３】
0003625527.tif 000004
【図４】
0003625527.tif 000005